(57)【要約】【課題】            多様化するフィルタユニットの設計に対応することが可能であり、しかも、安価で効率的に作製し得るフィルタユニットを提供すること。  【解決手段】        天板、底板並びに側板からなる筐体内に二次プリーツ形状を有するフィルタが収納されてなるフィルタユニットであって、このフィルタユニットの濾過方向下流側に、前述した側板間にわたる補強杆を設け、前述したフィルタの谷部に相当する上述の補強杆の位置に三角補強体を配した支承部を設けている。【選択図】          図３
2017136576.tif 000002
【特許請求の範囲】
【請求項１】
天板、底板並びに側板からなる筐体内に二次プリーツ形状を有するフィルタが収納されたフィルタユニットであって、該フィルタユニットの濾過方向下流側に、前記側板間にわたる補強杆を設け、前記フィルタの谷部に相当する前記補強杆の位置に三角補強体を配した支承部を設けてなることを特徴とするフィルタユニット。
【請求項２】
前記三角補強体は、リム部とフィルタ支持部とで画成されたＬ字型断面またはコ字型断面のレール材からなる略三角形の平面形状を有し、かつ、前記三角補強体の濾過方向上流側に位置する頂角を構成する２辺のリム部同士が突合わされていることを特徴とする請求項１に記載のフィルタユニット。
【発明の詳細な説明】
【技術分野】
【０００１】
本発明は、濾材面積を大きく採るため、二次プリーツを有する濾材を備えたフィルタユニットに関する。
【背景技術】
【０００２】
従来から、空調装置内に装着するフィルタユニットとして、種々の形態のものが使われている。中でも、所定の容積内で濾材面積を大きく採る形態として、平板状の濾材をジグザグに折ってプリーツを形成し、さらに、二次的なプリーツによってＶ字型或いはＷ字型の濾材外形に組み上げたフィルタユニットが知られている。本出願人にあっても、この種のフィルタユニットに関して種々の技術を提案しており、例えば特開平９−２０６５３８号公報（以下、特許文献１）では、濾材を交換可能であって、軽量で焼却が容易、かつリークが発生し難いフィルタ枠を開示している。
【０００３】
図１は、この公報技術に開示されたフィルタ枠を斜視的に示す説明図である。このフィルタ枠１１は、紙またはプラスチックからなる段ボールで構成されており、側板部１３ａ及び１３ｃ、天板部１３ｂ並びに底板部１３ｄが二次プリーツ形状を有する、略Ｗ字型のフィルタ１５（一部透視的に、二点鎖線で外形を示す）を囲む筐体構造を採っている。このうち、天板部１３ｂと底板部１３ｄのフィルタ収納側の内側面には、図示左手前から装着されるフィルタの受け容れ位置を規制するため、フィルタ受け部１７が設けられる。このフィルタ受け部１７はフィルタの装着方向の最も奥側に配設され、フィルタ１５を受け容れる際、当該受け部１７の両側に、設けられたＷ状片１７ａ及び１７ｂと協働して、Ｗ字型のフィルタ１５の外形と相補的なスペースを画成している。
【０００４】
また、フィルタの高さ方向、即ち、図示した天板部１３ｂと底板部１３ｄとで規定される方向の中程には、Ｗ状片１７ａ及び１７ｂと同様な形状を有する三角板１９が補助的に設けられている。装置運転時に加わる風圧でフィルタ１５が変形若しくはフィルタ枠１１から脱離しないように、交換使用されるフィルタは、天板部１３ｂと底板部１３ｄと共に、フィルタの高さ方向の中央部分に設けた三角板１９によっても、濾過面の下流側で支えることが可能な構造となっている。尚、以下の説明の理解を容易とするため、上述した側板部１３ａ及び１３ｂを「側板」、天板部１３ｂを「天板」、底板部１３ｄを「底板」、フィルタ枠１１を「フィルタユニット」とし、機能の類似した構成成分を包括的に示す。
【０００５】
上述した紙若しくは樹脂製の三角板と同様な機能を持つ構成として、従来、種々の形態が知られており、金属、木材などを線材または板材として、二次プリーツ形状と相補的な形状に加工したものが提案され、実用に供されている。図示は省略するが、例えば特開平１０−１５３２８号公報（以下、特許文献２）では、ガイド板と称される前述の三角板が、フィルタユニットのエアー流出口側であって、中間高さの位置に取り付けられる形態を特許文献１と同様に開示している。この公報技術では、二次プリーツ形状を有するフィルタの前面（濾過面上流側）からの面的な押さえに加えて、前述した風圧によるフィルタの振動やフィルタの加工癖によるふくらみ等の変形防止を図るため、各三角板を側板及び横棧のユニット内面側に溶接で取り付けるとの記載がある。
【先行技術文献】
【特許文献】
【０００６】
【特許文献１】特開平９−２０６５３８号公報（［特許請求の範囲］、［０００９］〜［００１７］、［図６］など）
【特許文献２】特開平１０−１５３２８号公報（［特許請求の範囲］、［０００３］、［０００４］、［０００８］、［００１３］、［００１４］、［図１］など）
【発明の概要】
【発明が解決しようとする課題】
【０００７】
上述したとおり、従来のフィルタユニットは、筐体を再使用し、二次プリーツ形状を有するフィルタを交換する形態が中心であった。しかしながら、空調装置は耐久財であるため、その使用環境の変化や、清浄度意識の変化により、当該装置に対応した所定の外寸のまま、清浄度などの要求スペックに応じて、フィルタの形状変更を行う場合がある。前述した各特許文献に開示されるとおり、例えば二次プリーツ形状を有するフィルタの二次プリーツは、濾材が布帛で構成されており、しかも、一次プリーツが施されているため、形状変更は比較的容易である反面、ユニットにおける自立性に乏しい。また、空調装置に応じた一品一様のフィルタユニットであるため、係るフィルタは天板及び側板に接着固定する場合が多い。従って、フィルタユニットの部材として設計変更に対応が難しい構成成分は、フィルタの高さ方向の中央部分に配設される三角板であり、多品種の構成部材を常備せざるを得ないという問題点があった。
本発明は、上述した従来の問題点に鑑みなされたものであり、この目的は、多様化するフィルタユニットの設計に対応することが可能であり、しかも、安価で効率的に作製し得るフィルタユニットを提供することにある。
【課題を解決するための手段】
【０００８】
この目的の達成を図るため、本出願に係るフィルタユニットによれば、天板、底板並びに側板からなる筐体内に二次プリーツ形状を有するフィルタが収納されてなるフィルタユニットであって、このフィルタユニットの濾過方向下流側に、前述した側板間にわたる補強杆を設け、前述したフィルタの谷部に相当する上述の補強杆の位置に三角補強体を配した支承部を設けてなることを特徴としている。
【０００９】
また、この発明の実施に当たり、上述した三角補強体は、リム部とフィルタ支持部とで画成されたＬ字型またはコ字型の断面を有するレール材からなる略三角形の平面形状を有し、かつ、上述した三角補強体の濾過方向上流側に位置する頂角を構成する２辺のリム部同士を突合わせて構成するのが好適である。
【発明の効果】
【００１０】
本発明を適用することにより、多様化するフィルタユニットに対応することが可能であり、しかも、フィルタを安定に保持、補強する構造が実現され、安価で優れた機能を有するフィルタユニットを提供することができる。
【図面の簡単な説明】
【００１１】
【図１】背景技術を説明するため、一部透視的な斜視図によって示す説明図である。
【図２】本発明の好適形態を説明するため、図１と同様に示す説明図である。
【図３】本発明の好適形態の支承部のみに着目して示す説明図である。
【発明を実施するための形態】
【００１２】
以下、図面を参照して、本発明の好適形態について説明する。尚、以下の説明では、この発明の理解を容易とするため、特定の形状、材質、配置関係などを例示して説明するが、本発明はこれら例示にのみ限定されるものではなく、本発明の目的の範囲内で任意好適に設計することができる。また、既に説明した構成成分と同様な機能を有する構成成分には、同一の符号を付すと共に、詳細な説明を省略する場合がある。
【００１３】
図２は、本発明の好適形態を図１と同様に、一部を透視して斜視的に示した説明図である。この好適形態に係るフィルタユニット１１は、天板１３ｂ、底板１３ｄ、並びに２枚の側板１３ａ及び１３ｃからなる従来と同様な筐体に、二次プリーツ形状を有するフィルタ１５が収められる。この２枚の側板１３ａ及び１３ｃの濾過方向下流側であって、しかもフィルタ１５の高さ方向の中央近傍には、これら側板の一部を切削して、当該側板間にわたる補強杆２１が取り付け固定されている。また、この補強杆２１には、フィルタ１５の谷部に相当する位置に、濾過方向上流側に頂角を持った三角補強体２３ａ〜２３ｃが設けられ、これら補強杆２１に三角補強体２３ａ〜２３ｃを配置した支承部２５が設けられている。従って、この支承部２５は、二点鎖線で示すフィルタ１５を濾過方向下流側から風圧による変形及び振動を防ぐ構成となっている。尚、三角補強体２３ｂ及び２３ｃは、厳密にはフィルタ１５の谷部に相当せず、二次プリーツの両側端に当たるが、本明細書では当該両側端をも包括的に谷部としている。
【００１４】
次いで、図３を参照して、上述した支承部２５の細部構成について説明する。図３は、前述図２のうち、補強杆２１に取り付けられた三角補強体２３ａ〜２３ｃに着目した図であり、矩形断面を有する補強杆２１のうち、三角補強体２３ａ〜２３ｃと接している２面にのみハッチングを付している。この形態では、三角補強体２３ａ〜２３ｃは、Ｌ字型断面を有するレール材の所定位置に切断若しくは切削部分を設け、３つの三角補強体同士が、補強杆に対する固定部分となる２つの連結部２７を介して構成されるように加工されている。この際、Ｌ字型断面を構成する２面は、各々、図示縦方向に延在する面がフィルタ支持部２９となり、これと直交する面はリム部３１となる。このうち、フィルタ支持部２９の両側端側の面は、フィルタユニットの側板内壁との当接面となる。また、図示の補強杆２５から最も隔たった各三角補強体の頂点では、当該頂点を構成する２辺のリム部３１同士が突き合わされた構成となっている。このような構成の支承部は、いわゆるトラス構造と類似の構造を採っているため、図２に示すフィルタユニットに適用することによって、優れたフィルタ支持機能を果たす。
【００１５】
上述した原材料としてのレール材は、金属、或いは合成樹脂、好ましくは可撓性若しくは展性を有する材質から選択することが出来る。また、上述の好適形態では、リム部となる面とフィルタ支持部となる面との２面からなるＬ字型断面を例示したが、リム部を２面として断面コ字型のレール材から調製することで、より堅固な構造を実現することができる。さらに、この好適形態のような連結部は必須の構成成分ではなく、補強杆に対する固定強度が十分に採れる場合、三角補強体のみを取り付けて構成しても良い。
【００１６】
以上、本発明を適用した好適態様について例示により説明した。しかしながら、本発明は、これらにのみ限定されるものではない。背景技術も含め、本明細書ではフィルタを交換可能な構成を例示したが、本発明はこれに限定されず、フィルタを固定した形態であっても、軽量かつ堅固なフィルタユニットを実現することができる。また、三角補強体を構成するレール材の断面形状として、Ｌ字型とコ字型とを例示したが、これに限定されるものではなく、Ｈ字型若しくはロ字型のレール材で構成することもできる。このうち、Ｈ字型のレール材を用いた三角補強体の場合、フィルタ支持部となる部分が２つの点接触となる形態であっても、フィルタが略平面である部分と接触支持するため、他の上記断面形状の部材と同等の効果を期待でき、当該補強体自体には高い強度を実現することができる。
【００１７】
さらに、三角補強体に、フィルタに加わる風圧に対する抗力としての強度を持たせるため、頂角部分に「突き合わせる」最良の構造を例示した。しかしながら、当該部分でリム部同士が重なった構造により頂角を維持できる構造、或いは、レール材自体が十分な強度を持つ場合には、係る頂角部分に隙間が有る構造を採ることができる。
【符号の説明】
【００１８】
１１：（フィルタ枠）フィルタユニット、１３ａ，１３ｃ：側板（部）、
１３ｂ：天板（部）、１３ｄ：底板（部）、
１５：（二次プリーツを有するＷ字型の）フィルタ、
１７：フィルタ受け部、１７ａ，１７ｂ：Ｗ状片、１９：三角板、
２１：補強杆、２３ａ〜２３ｃ：三角補強体、
２５：支承部、２７：連結部、２９：フィルタ支持部、３１：リム部。
【図１】
2017136576.tif 000003
【図２】
2017136576.tif 000004
【図３】
2017136576.tif 000005